(57)【要約】  【課題】  本発明は、作業者に負担をかけずに、全体の印象を変化させることができる浴室ユニットを提供することを目的とする。  【解決手段】  本発明は、浴室壁面に設置される鏡パネルと、この鏡パネルに固定される鏡とを備え、上記鏡パネルの鏡により覆われる一部が貫通孔を有する浴室ユニットである。また、貫通孔が、鏡裏面に接する鏡押さえ部材を有する浴室ユニットである。また、鏡押さえ部材が、スキン層を有する発泡ウレタンである浴室ユニットである。更に、鏡パネルが人造大理石である浴室ユニットである。  【選択図】  図５
2006016882.tif 000002
【特許請求の範囲】
【請求項１】
浴室壁面に設置される鏡パネルと、この鏡パネルに固定される鏡とを備え、上記鏡パネルの鏡により覆われる一部が貫通孔を有する浴室ユニット。
【請求項２】
請求項１において、貫通孔が、鏡裏面に接する鏡押さえ部材を有する浴室ユニット。
【請求項３】
請求項２において、鏡押さえ部材が、スキン層を有する発泡ウレタンである浴室ユニット。
【請求項４】
請求項１乃至３のいずれかにおいて、鏡パネルが人造大理石である浴室ユニット。
【発明の詳細な説明】
【技術分野】
【０００１】
本発明は、浴室ユニットに関する。
【背景技術】
【０００２】
浴室ユニットは、在来工法では日数のかかる浴室の工事を、短期間に行えるように、ユニット化した部材を組み立てて完成される浴室であり、近年の浴室では広く用いられている。
【０００３】
図１は、従来用いられている浴室ユニットの内部を表す概略斜視図である。浴室ユニットは、仮面に配管を備えた防水パン１の周囲に壁パネル３を配し、この壁パネル３の上に天井パネル４を載せて浴室を形成形している。防水パン１の一部には、浴槽２を配置して、残る防水パン１の部分を洗い場とする。また、壁パネル３には、カウンター５、鏡６等を配置し、使用者の使い勝手を良くしている。
【０００４】
鏡６は、壁パネル３に直接固定されるものであり、より具体的には、壁に設置した固定金具７、７により鏡６の上下を押さえ、ゴム等を固定金具７と鏡６との間に挟み込んで、鏡６がずれないようにしている。
【０００５】
また、特許文献１に示すように、鏡を直接壁パネルに設置せずに、枠体を用いて設置するようにすることもある。
【特許文献１】特開平８−２８０５７１号公報
【発明の開示】
【発明が解決しようとする課題】
【０００６】
しかしながら、鏡を直接壁パネルに設置する場合には、鏡近傍の壁模様が、壁パネルにより決定されるため、使用者が体を洗う際に正対する部分と、浴室ユニット全体とで変化をつけることができない。また、鏡は、壁パネル変形の影響を受けやすく、使用者が壁に寄りかかった際に変形することもある。
【０００７】
鏡が枠体を用いて取り付けられる場合には、壁パネルの影響を受けにくくなるものの、枠の部分が壁パネルと異なる印象を与えるのみで、浴室ユニット全体としての印象は壁パネルに直接鏡を設置したものとさほど異なるものでない。浴室ユニット全体の印象を変化させるには、カウンター横幅の１／２以上の横幅と、鏡の縦長さ以上の縦長さを有することが好ましいが、このような大きさのパネルは重量が重くなり、設置作業者の負担が大きく、作業時間も長くなるといった問題がある。
【０００８】
本発明は、作業者に負担をかけずに、全体の印象を変化させることができる浴室ユニットを提供することを目的とする。
【課題を解決するための手段】
【０００９】
（１）本発明は、浴室壁面に設置される鏡パネルと、この鏡パネルに固定される鏡とを備え、上記鏡パネルの鏡により覆われる一部が貫通孔を有する浴室ユニットである。
（２）項（１）において、貫通孔が、鏡裏面に接する鏡押さえ部材を有する浴室ユニットである。
（３）項（２）において、鏡押さえ部材が、スキン層を有する発泡ウレタンである浴室ユニットである。
（４）項（１）乃至（３）のいずれかにおいて、鏡パネルが人造大理石である浴室ユニットである。
【発明の効果】
【００１０】
本発明によれば、鏡パネルにより浴室ユニット全体の印象に変化を持たせることができ、鏡パネルに貫通孔を設けたことで、鏡パネルの重量を軽減し、作業者の負担を減らすことができる。
また、鏡押さえ部材を用いたものは、鏡裏面の貫通孔部分が空洞ではなくなることから、鏡の変形、割れ等が起こりにくくなる。
更に、鏡押さえ部材にスキン層を有する発泡ウレタンを用いると、重量が軽いことから作業を行いやすく、水分が発泡ウレタン中に進入しないことから臭気の発生源を絶つことができる。
鏡パネルとして人造大理石を使用する場合は、様々な模様の変化、色の変化を安価に提供することができる。
【発明を実施するための最良の形態】
【００１１】
本発明に用いられる浴室壁面は、特に限定されるものではなく、具体的には、鋼板パネル、樹脂パネル等を使用することができる。また、鋼板パネルを使用する場合は、防錆処理を施すようにすることが好ましい。浴室壁面の裏面は、保温材、強化材等を貼り付けることができ、具体的には、軽量コンクリートボード、石膏ボード、発泡スチレン、発泡ウレタン等を用いることができる。
【００１２】
本発明に用いられる鏡パネルは、その表面に鏡を取り付けるものであり、鏡によって覆われる部分の一部に貫通孔を設けてある。貫通孔は、図４（ａ）に示すように、１つの貫通孔１５により形成しても良いが、図４（ｂ）（ｃ）に示すように、複数の貫通孔１５により形成しても良く、最終的に鏡を設置して、鏡により覆われるものであればその形状も自由に選択することができる。１つの孔により貫通孔を形成した場合には、孔の大きさを大きくすることにより、鏡パネルの重量を減少させることができ、鏡裏面に曇止用の電熱線を配置することも容易に可能となる。複数の孔により貫通孔を形成した場合には、鏡パネルと鏡との設置面積が増えることにより、安定して鏡を支えることが可能となり、特に図４（ｂ）に示すような格子状の貫通孔１５、又は、図４（ｃ）に示すような千鳥状の貫通孔１５を設けると、使用者鏡に寄りかかった場合でも、鏡が歪んだり、割れたりすることがない。鏡パネルの大きさは、特に限定されるものではないが、浴室ユニット全体の印象を変化させるのに、カウンター横幅の１／２以上の横幅と、鏡の縦長さ以上の縦長さを有することが好ましい。
また、浴室壁面から浴室内への突出寸法となる鏡パネルの厚みは、特に限定されるものではないが、有る程度の厚みを持たせることで高級感が出ることから、３ｍｍ以上であることが好ましく、１０ｍｍ以上あることがより好ましい。但し、余りに厚みを持たせると、浴室ユニット内を狭く感じさせるので、鏡パネルを設置する浴室壁面に取り付けられた、シャワーヘッドを設置するスライドバー、浴槽に入る際に使用する握手バーよりも突出しないことが好ましく、具体的には厚みが５０ｍｍ以内であることが好ましい。
更に、鏡パネルの材質は、特に限定されるものではないが、金属、合成樹脂、これらの複合品等を使用することができ、好ましくは、高級感があり着色・加飾が容易である人造大理石を用いることが好ましい。人造大理石は、例えばＳＭＣ、ＢＭＣ等を加熱加圧することにより得ることができ、成形材料に顔料を混入することで着色することもでき、印刷シート等を金型表面に配置し、その上に成形材料を載せて加熱加圧することで加飾することもできる。
【００１３】
本発明に用いる鏡は、特に限定されるものでなく、通常浴室ユニットに使用される鏡を用いることができる。鏡を鏡パネルに固定する方法は、特に限定されるものではなく、具体的には、鏡の下端を支え鏡の荷重を受ける「下金具」と、鏡の上端の倒れ込みを押さえる「上金具」とを用いる方法、鏡裏面を接着剤、接着テープ、吸盤により貼り合わせる方法等を用いることができる。
【００１４】
本発明に用いる鏡押さえ部材は、鏡パネルに設けた貫通孔に設置され、鏡裏面に接するものであれば特に限定されるものではなく、鏡の裏面から空洞部を極力無くすことにより、鏡の歪み、割れを防止する。具体的には、鏡パネルの密度よりも低い密度の成形品を用いることで重量を軽減することができ、発泡材フォームとして発泡スチレン、発泡ウレタン、ソリッドや中空の押出し成形としてＡＢＳ・ＰＶＣ・ＨＩＰＳ・ＡＥＳ材等を用いることができる。
鏡押さえ部材として発泡成形品を使用する場合には、内部に水分が入らないようにすることが好ましく、表面にスキン層を有するものを使用するか、表面に防水加工を施したものを使用することができる。これは、内部に水分が進入することにより、水が腐敗して悪臭源となることを阻止するためのものである。
【実施例】
【００１５】
以下、本発明の実施例について図面を用いて説明する。
図２は、本発明の１実施例を示す浴室ユニットの内部斜視図である。浴室ユニットは、洗い場及び浴槽載置場となる防水パン１の周囲に壁パネル３を立設し、この壁パネル３の上に天井パネル４を配置することで浴室空間を形成している。防水パン１の裏面には、図示を省略するが、洗い場にて発生する排水と、浴槽２にて発生する排水とを、排出する排水トラップが設けられている。
【００１６】
壁パネル３には、石けん、シャンプー等を載置するカウンター５を配置してあり、カウンター５の上面高さを浴槽２の上面高さよりも低くすることで、カウンター５上面から浴槽２への水の移動を阻止している。また、壁パネル３の浴槽２に近いところには、使用者が浴槽２に入る際に使用する握手１０を設置している。
【００１７】
カウンター５よりも上の部分となる壁パネル３には、鏡パネル１１を固定している。鏡パネル１１は、横幅をカウンター５と略同一長さとし、縦長さを鏡パネル１１とカウンター５との間、及び、鏡パネル１１と天井パネル４との間に僅かな隙間を残す長さとしている。また、鏡パネル１１の浴室内への突出量、即ち厚みは、握手１０の浴室内への突出量よりも少なくしており、具体的には、３０ｍｍとしている。
【００１８】
鏡パネル１１の浴室内側の表面には、鏡６、水栓８、シャワー９を引っ掛けるフックを設けてあり、鏡パネル１１、鏡６、水栓８の横幅方向中心が同一線上となるようにしている。また、水栓８の蛇口１２は、カウンター５の上面直上になるようにしてあり、使用者は、水桶をカウンター５の上面に乗せて使用するようにしている。
【００１９】
図３は、図２に示す浴室ユニットのＡ−Ａ断面図である。鏡パネル１１は、壁パネル３と接する周縁を残して内部がその厚みの半分まで凹ませた人造大理石による成形品であり、鏡６により覆われる部分に図４（ａ）に示す貫通孔１５を１つ設けてある。貫通孔１５の周縁は、設置作業の際の安全及び設置後に鏡６に対して局所的な応力がかかることを避けるために、角を落として丸みを持たせてある。
【００２０】
鏡パネル１１を壁パネル３に設置・固定した後は、貫通孔１５に鏡押さえ部材１３として表面にスキン層を有する発泡ウレタン成形品を配置する。鏡押さえ部材１３は、壁パネル３と接する部分に接着剤を塗布して壁パネル３に貼り付け、鏡６に接する部分に接着テープ１４を貼り付けている。鏡押さえ部材１３の厚みは、壁パネル３に貼り付けた際に、鏡パネル１１の鏡６を設置する表面から僅かに突出するようにしてあり、鏡６の設置時に鏡６が鏡押さえ部材１３を押しつぶすようにし、確実に鏡６と接するようにしてある。
【００２１】
図５は、本発明の１実施例であり、鏡を設置する作業工程を説明する概略断面図である。図５（ａ）に示すように、鏡６を設置するには、先ず鏡パネル１１に鏡６を固定する固定金具を取り付ける必要があり、上固定金具１６及び下固定金具１７をネジ１９により鏡パネル１１に固定する。この際、壁パネル３の裏面には、当て木１８を当てておくことにより、より強固な固定が可能となる。また、上固定金具１６は、縦方向の長溝が形成されており、ネジ１９により固定された後も上下方向には移動可能としている。
【００２２】
上下の固定金具を鏡パネル１１に固定した後は、鏡６の下端を下固定金具１７に載置し、鏡６の下端を支点として鏡を立ち起こし、図５（ｂ）に示すように上固定金具１６を下方に移動させて鏡６の固定を行う。
【図面の簡単な説明】
【００２３】
【図１】従来例を示す浴室ユニット内部の概略斜視図である。
【図２】本発明の１実施例を示す浴室ユニットの内部斜視図である。
【図３】図２に示す浴室ユニットのＡ−Ａ断面図である。
【図４】本発明の１実施例を示す鏡パネルの平面図であり、（ａ）は貫通孔が１つのもの、（ｂ）は複数貫通孔を格子状に配列したもの、（ｃ）は複数貫通孔を千鳥状に配列したものを示す。
【図５】本発明の１実施例を示す鏡の設置作業工程を説明する概略断面図であり、（ａ）は鏡の立ち起こし、（ｂ）は上固定金具のはめ込みを示す。
【符号の説明】
【００２４】
１…防水パン、２…浴槽、３…壁パネル、４…天井パネル、５…カウンター、６…鏡、７…固定金具、８…水栓、９…シャワー、１０…握手、１１…鏡パネル、１２…蛇口、１３…鏡押さえ部材、１４…接着テープ、１５…貫通孔、１６…上固定金具、１７…下固定金具、１８…当て木、１９…ネジ
【図１】
2006016882.tif 000003
【図２】
2006016882.tif 000004
【図３】
2006016882.tif 000005
【図４】
2006016882.tif 000006
【図５】
2006016882.tif 000007